(57)【特許請求の範囲】
【請求項１】
天井側に有する天井吊部材であるボルトに取り付けられる取付部材と、
前記取付部材に支持される灯具本体と、
前記灯具本体に収容され、前記天井から引き出された電源線に対して電気的に接続されるＬＥＤ発光部と、
を備え、
前記灯具本体は、前記天井吊部材であるボルトに対向する位置で前記取付部材に支持され、
前記取付部材には、前記天井吊部材であるボルトが挿通される孔が形成されており、
前記灯具本体には、前記灯具本体に設けられている放熱フィンの一部において、前記天井吊部材であるボルトを収容すると共に、有底であり、かつ所定深さの孔からなる凹部が形成されており、
前記灯具本体が前記取付部材を介して前記天井に支持された状態において、前記天井吊部材であるボルトは、前記取付部材における前記孔に挿通されてナットにより固定されており、前記天井吊部材であるボルトの端部は、前記ナットから天井とは反対の側に突出しており、前記ナットおよび前記天井吊部材であるボルトの前記突出している部分は、前記灯具本体における前記凹部に収容されている照明器具。
【請求項２】
請求項１に記載の照明器具において、
前記取付部材は、前記天井吊部材であるボルトに固定されると共に、前記孔が形成されているボルト吊金具を有し、
前記ボルト吊金具と前記灯具本体との間に、前記電源線を挿通させる隙間を有する照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、天井吊ボルトが通されるボルト通孔が形成された本体を有する器具本体と、器具本体に取付けられて支持される光源を点灯させる点灯装置と、を備えた照明器具が知られている（例えば、特許文献１参照）。
特許文献１は、埋め込み孔の縁部に下方から引っ掛かる天井係止端部を有して埋込孔に通される一対のベース部材と、ベース部材に上下に回転可能に連結されて両ベース部材にわたって設けられているとともに器具本体を支持する本体支持部材と、を備えている。
そして、特許文献１は、本体支持部が回転されることにより器具本体を相対的に低い位置と高い位置とに支持する複数の設置装置と、光源を内側に配して器具本体の下方に配置されるとともに天井係止端部を覆うカバー部を有した制光装置と、を備えている。
【先行技術文献】
【特許文献】
【０００３】
【特許文献１】特開２００９−１４６８１８号公報（図１、請求項１）
【発明の概要】
【発明が解決しようとする課題】
【０００４】
特許文献１は、高さが異なる制光装置の選択に応じた遮光角を形成できるとともに選択に拘わらずに専用の設置装置を要しないで天井に埋め込み設置できる。
ところで、図１０に示すように、特許文献１と同様に、光源１０１を収容し、反射板１０２が取り付けられる灯具本体１０３が、天井吊ボルト１０４に固定される枠体１０５に取り付けられる照明器具１００が提案されている。
【０００５】
ところが、このような従来の照明器具１００は、灯具本体１０３が天井吊ボルト１０４に対向して突出しているために、枠体１０５に有するボルト吊金具１０６を天井吊ボルト１０４に挿通した後に、ナット等を締め込むためのスペースが小さい。
そのため、このような従来の照明器具１００は、天井吊ボルト１０４に対する締込スペースを確保するために、枠体１０５のボルト吊金具１０６の高さ寸法を大きくしなければならない。
従って、このような従来の照明器具１００は、天井吊ボルト１０４に対する締込スペースを確保できずに、全体の高さ寸法が大きくなって小型化できない。
【０００６】
また、このような従来の照明器具１００は、灯具本体１０３と枠体１０５のボルト吊金具１０６とのスペースが小さいために、灯具本体１０３から引き出されて外部回路に接続される電源線１０７が灯具本体１０３とボルト吊金具１０６との間に挟み込まれることがある。
そのため、このような従来の照明器具１００は、電源線１０７を挟み込んだ場合に、電源線１０７を破損することがある。
【０００７】
本発明は、前述した課題を解決するためになされたものであり、その目的は、小型化でき、電源線の挟み込みを防止できる照明器具を提供することにある。
【課題を解決するための手段】
【０００８】
本発明に係る照明器具は、天井側に有する天井吊部材であるボルトに取り付けられる取付部材と、前記取付部材に支持される灯具本体と、前記灯具本体に収容され、前記天井から引き出された電源線に対して電気的に接続されるＬＥＤ発光部と、を備え、前記灯具本体は、前記天井吊部材であるボルトに対向する位置で前記取付部材に支持され、前記取付部材には、前記天井吊部材であるボルトが挿通される孔が形成されており、前記灯具本体には、前記灯具本体に設けられている放熱フィンの一部において、前記天井吊部材であるボルトを収容すると共に、有底であり、かつ所定深さの孔からなる凹部が形成されており、前記灯具本体が前記取付部材を介して前記天井に支持された状態において、前記天井吊部材であるボルトは、前記取付部材における前記孔に挿通されてナットにより固定されており、前記天井吊部材であるボルトの端部は、前記ナットから天井とは反対の側に突出しており、前記ナットおよび前記天井吊部材であるボルトの前記突出している部分は、前記灯具本体における前記凹部に収容されている。
【０００９】
本発明に係る照明器具は、前記取付部材は、前記天井吊部材であるボルトに固定されると共に、前記孔が形成されているボルト吊金具を有し、前記ボルト吊金具と前記灯具本体との間に、前記電源線を挿通させる隙間を有する。
【発明の効果】
【００１０】
本発明に係る照明器具によれば、小型化でき、電源線の挟み込みを防止できるという効果を奏する。
【図面の簡単な説明】
【００１１】
【図１】本発明に係る第１実施形態の照明器具の斜め下方から視た分解斜視図
【図２】本発明に係る第１実施形態の照明器具の灯具本体周りの斜め下方から視た外観斜視図
【図３】本発明に係る第１実施形態の照明器具の一部破断側面図
【図４】本発明に係る第１実施形態の照明器具の天井吊ボルトの取付後の垂直断面図
【図５】本発明に係る第２実施形態の照明器具の灯具本体の平面図
【図６】本発明に係る第２実施形態の照明器具の天井吊ボルトの取付後の垂直断面図
【図７】本発明に係る第３実施形態の照明器具の一部破断側面図
【図８】本発明に係る第３実施形態の照明器具の電源線にねじれがない場合の側面図
【図９】本発明に係る第３実施形態の照明器具の電源線にねじれがある場合の側面図
【図１０】従来の照明器具の外観図
【発明を実施するための形態】
【００１２】
以下、本発明に係る複数の実施形態の照明器具について図面を参照して説明する。
（第１実施形態）
図１に示すように、本発明に係る第１実施形態の照明器具１０は、灯具本体１１と、灯具本体１１の下方に取り付けられる補助反射板１２と、灯具本体１１を支持する枠体１３と、枠体１３の上方に配置される電源ケース１４と、を備える。
照明器具１０は、電源ケース１４から引き出されて灯具本体１１内に引き込まれる電源線１５と、を備え、枠体１３が天井材９０の上方に取り付けられている天井吊ボルト１６に固定される。
照明器具１０は、天井材９０の埋設孔９１に埋め込まれて床面等を照射するダウンライトに適用される。
【００１３】
灯具本体１１は、下方の内側にＬＥＤ発光部１７が収容されており、上部に複数の放熱フィン１８を有する。
補助反射板１２は、略円筒形状に形成されて内周面に補助反射面１９を有し、外周部に枠体１３に取り付けるための複数の補助反射板取付ばね２０を有する。
【００１４】
枠体１３は、円環形状に形成された枠本体２１と、この枠本体２１の周方向に下端部が取り付けられた複数の連結板２２と、を備える。
枠体１３は、円環形状に形成されて連結板２２の上端部に取り付けられた灯具取付枠部２３と、天井吊ボルト１６が挿通されるボルト孔２４を有してコ字形状に形成されて灯具取付枠部２３の上部に取り付けられたボルト吊金具２５と、を備える。
ボルト吊金具２５は、ボルト孔２４が天井吊ボルト１６の下端部に挿通される。天井吊ボルト１６は、ボルト吊金具２５の下面においてナット２６がねじ込まれる。
【００１５】
電源ケース１４は、電源ユニット２７を取り付けており、電源ユニット２７に電源線１５の一端部が電気的に接続されている。電源ユニット２７は、外部の電源回路に電気的に接続される。
電源線１５は、その他端部が枠体１３の灯具取付枠部２３および枠本体２１の内側を挿通して灯具本体１１内に引き込まれてＬＥＤ発光部１７に電気的に接続される。
【００１６】
図２に示すように、枠体１３は、灯具取付枠部２３の外面に複数の孔付のばね取付板２８を有する。ばね取付板２８には、灯具本体１１が枠体１３に取り付けられた後に、補助反射板取付ばね２０が挿通される。
ばね取付板２８に補助反射板取付ばね２０が挿通されることにより、補助反射板１２が灯具本体１１に組み付けられる。
【００１７】
図３に示すように、灯具本体１１は、放熱フィン１８の基部が接続された隔板２９を有し、この隔板２９の外周部にＬＥＤ発光部１７が収容された発光部収容部３０を有する。
ＬＥＤ発光部１７は、複数の主反射板３１を有する反射板体３２と、回路基板３３と、回路基板３３に封止された複数のＬＥＤ３４と、光学レンズであるパネル３５と、を備えている。
ＬＥＤ発光部１７は、単一の主反射板３１と単一のＬＥＤ３４とによりＬＥＤユニット３６が構成されている。
反射板体３２は、主反射板３１が略半球形状に形成されており、主反射板３１の頂部開口３７にＬＥＤ３４がそれぞれ位置している。
パネル３５は、パッキン３８および押板３９を介して灯具本体１１の発光部収容部３０にねじ止めされている。
補助反射板１２は、意匠を有して環状形に形成された装飾板４０を下端部に有する。
【００１８】
図４に示すように、灯具本体１１は、放熱フィン１８の中央部にボルト収容凹部４１が形成されている。このボルト収容凹部４１は、円柱形状の空間を形成する有底の丸孔に形成されている。
ボルト収容凹部４１は、枠体１３のボルト吊金具２５にナット２６により取り付けられた天井吊ボルト１６の下端部の灯具本体１１の天部からの長さ寸法Ｌ１よりも十分に大きい深さ寸法Ｌ２を有する。
また、ボルト収容凹部４１は、枠体１３のボルト吊金具２５の下面において天井吊ボルト１６にねじ込まれているナット２６の外径寸法Ｌ３よりも十分に大きい内径寸法Ｌ４を有する。
【００１９】
次に、天井吊ボルト１６への枠体１３の取付手順および枠体１３への灯具本体１１の取付手順について説明する。
まず、枠体１３のボルト吊金具２５のボルト孔２４が天井吊ボルト１６に挿通され、ボルト吊金具２５の下面において天井吊ボルト１６にナット２６がねじ込まれる。
これにより、枠体１３が天井材９０の埋設孔９１内において天井吊ボルト１６に取り付けられる。
【００２０】
次に、枠体１３に対して灯具本体１１が下方から挿入されていき、灯具本体１１が枠体１３に取り付けられる。
これにより、天井材９０の埋設孔９１内において天井吊ボルト１６に固定されている枠体１３に灯具本体１１が取り付けられて照明器具１０が天井に設置される。
このとき、灯具本体１１が枠体１３に取り付けられる際に、枠体１３のボルト吊金具２５にねじ止められている天井吊ボルト１６およびナット２６が灯具本体１１のボルト収容凹部４１に収容される。
従って、天井吊ボルト１６およびナット２６は、灯具本体１１の高さ寸法内に収まることになる。
【００２１】
以上、説明した本発明に係る第１実施形態の照明器具１０によれば、天井吊ボルト１６およびナット２６を、灯具本体１１のボルト収容凹部４１に収容することにより、全体の高さ寸法を減少させて小型化できる。
【００２２】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２３】
図５に示すように、本発明に係る第２実施形態の照明器具５０は、天井材９０の上方に取り付けられている一対の天井吊ボルト５１，５２に固定される。
灯具本体５３は、放熱フィン１８の中央側部に一対のボルト収容凹部５４，５５が独立して形成されている。これらボルト収容凹部５４，５５は、平面視長円形状の空間を形成する有底の孔に形成されている。
【００２４】
図６に示すように、ボルト吊金具５６は、天井吊ボルト５１，５２が挿通される一対のボルト孔５７，５８を有する。
ボルト収容凹部５４，５５は、枠体１３のボルト吊金具５６にナット２６，２６により取り付けられた天井吊ボルト５１，５２の下端部の灯具本体５３の天部からの長さ寸法Ｌ５よりも十分に大きい深さ寸法Ｌ６を有する。
また、ボルト収容凹部５４，５５は、枠体１３のボルト吊金具５６の下面において天井吊ボルト５１，５２にねじ込まれているナット２６，２６の外径寸法Ｌ７よりも十分に大きい内径寸法Ｌ８を有する。
【００２５】
照明器具５０は、枠体１３のボルト吊金具５６のボルト孔５７，５８が天井吊ボルト５１，５２にそれぞれ挿通され、ボルト吊金具５６の下面において天井吊ボルト５１，５２にナット２６，２６がそれぞれねじ込まれる。
このとき、灯具本体５３が枠体１３に取り付けられる際に、枠体１３のボルト吊金具５６にねじ止められている天井吊ボルト５１，５２およびナット２６，２６が灯具本体５３のボルト収容凹部５４，５５にそれぞれ収容される。
従って、天井吊ボルト５１，５２およびナット２６，２６は、灯具本体５３の高さ寸法内に収まることになる。
【００２６】
照明器具５０によれば、天井吊ボルト５１，５２およびナット２６，２６を、灯具本体５３のボルト収容凹部５４，５５に収容することにより、全体の高さ寸法を減少させて小型化できる。
【００２７】
（第３実施形態）
次に、本発明に係る第３実施形態の照明器具について説明する。
図７に示すように、本発明に係る第３実施形態の照明器具６０は、枠体６１に灯具本体１１が取り付けられた状態において、ボルト吊金具６２の下面と灯具本体１１の天面６３との間に、電源線挿通隙間６４を有する。
この電源線挿通隙間６４は、ボルト吊金具６２の下面と灯具本体１１の天面６３との間において幅寸法Ｌ９を有し、この幅寸法Ｌ９は、電源線１５の外径寸法Ｌ１０よりも大きく設定されている。
【００２８】
そのため、図８に示すように、灯具本体１１の中央部から引き出されている電源線１５にねじれが生じていない場合、電源線１５は、ボルト吊金具６２と灯具本体１１とに挟み込まれることなく、電源線挿通隙間６４からボルト吊金具６２の上方へ引き出される。
そして、ボルト吊金具６２の下面と灯具本体１１の天面６３との間の電源線挿通隙間６４からボルト吊金具６２の上方へ引き出された電源線１５は、枠体１３内を挿通して電源ユニット２７に電気的に接続される。
【００２９】
これに対して、図９に示すように、灯具本体１１の中央部から引き出されている電源線１５が暴れたりしてねじれ部６５が生じている場合、電源線１５の外径寸法Ｌ１０が相対的に大きくなる。
しかし、ボルト吊金具６２の下面と灯具本体１１の天面６３との間に電源線挿通隙間６４を有するために、ねじれ部６５を有する電源線１５は、ボルト吊金具６２と灯具本体１１とに挟み込まれることがない。
【００３０】
これにより、ねじれ部６５を有する電源線１５は、電源線挿通隙間６４からボルト吊金具６２の上方へ引き出される。
そして、ボルト吊金具６２の下面と灯具本体１１の天面６３との間の電源線挿通隙間６４からボルト吊金具６２の上方へ引き出された電源線１５は、枠体１３内を挿通して電源ユニット２７に電気的に接続される。
【００３１】
照明器具６０によれば、枠体６１に灯具本体１１が取り付けられた状態において、ボルト吊金具６２と灯具本体１１の天面６３との間に、電源線１５の外径寸法Ｌ１０よりも大きい電源線挿通隙間６４を有する。
従って、照明器具６０によれば、電源線１５にねじれがない場合およびねじれを生じている場合のいずれにおいても、電源線１５のボルト吊金具６２の下面と灯具本体１１の天面６３との間における挟み込みを防止できる。
【００３２】
なお、本発明の照明器具において補助反射板、電源ケース、パネル等は、前述した各実施形態に限定されるものでなく、適宜な変形や改良等が可能である。
【符号の説明】
【００３３】
１０，５０，６０  照明器具
１１，５３  灯具本体
１３，６１  枠体（取付部材）
１５  電源線
１６，５１，５２  天井吊ボルト（天井吊部材）
１７  ＬＥＤ発光部
２５，５６，６２  ボルト吊金具
４１，５４，５５  ボルト収容凹部（凹部）
６４  電源線挿通隙間（隙間）
【図１】
0005971541.tif 000002
【図２】
0005971541.tif 000003
【図３】
0005971541.tif 000004
【図４】
0005971541.tif 000005
【図５】
0005971541.tif 000006
【図６】
0005971541.tif 000007
【図７】
0005971541.tif 000008
【図８】
0005971541.tif 000009
【図９】
0005971541.tif 000010
【図１０】
0005971541.tif 000011